(57)【要約】【課題】  壁にカーテンレールを取付けるための特別な補強部材を壁内に設ける必要が無い。カーテンレールを取付ける場合も、カーテンレールを取付けない場合も、共通の上額縁部材を使用することができる。【解決手段】  金属製の上額縁部材１の室内側の端部に上額縁部材１の全長にわたってカーテンレール取付け部２を設ける。上額縁部材１とは別体のカーテンレール３に被取付け部４を設ける。上額縁部材１のカーテンレール取付け部２にカーテンレール３の被取付け部４を取付ける。【選択図】        図１
2005102962.tif 000002
【特許請求の範囲】
【請求項１】
金属製の上額縁部材の室内側の端部に上額縁部材の全長にわたってカーテンレール取付け部を設け、上額縁部材とは別体のカーテンレールに被取付け部を設け、上額縁部材のカーテンレール取付け部にカーテンレールの被取付け部を取付けて成ることを特徴とするカーテンレール付き額縁の構造。
【請求項２】
上額縁部材の屋内露出面に化粧シートを取着し、カーテンレールの被取付け部の屋内露出面に化粧シートを取着して成ることを特徴とする請求項１記載のカーテンレール付き額縁の構造。
【請求項３】
上額縁部材に設けたカーテンレール取付け部が外面に化粧シートを取着した目板カバーを着脱自在に嵌め込んで取付けることができる凹部により構成してあり、目板カバーを取付けない状態でカーテンレールの被取付け部を凹部に嵌め込んで取付けて成ることを特徴とする請求項１又は請求項２記載のカーテンレール付き額縁の構造。
【発明の詳細な説明】
【技術分野】
【０００１】
本発明は、カーテンレール付き額縁の構造に関するものである。
【背景技術】
【０００２】
従来からカーテンレールを取付けるに当たっては、図３に示すように建物の壁８の開口部９の室内側の部分の上端部に木質系の上額縁部材３０ａを取付け、壁８の上額縁部材３０ａを取付けた部分よりも上方位置において壁８内に補強部材３１を設け、壁８の室内側においてこの補強部材３１部分にカーテンレール３’を取付けている。
【０００３】
しかしながら、この従来例にあっては、壁８のカーテンレール３’を取付ける部分において壁８内に補強部材３１を設けなければならず、壁８を構成する壁パネルの製造工程が複雑となり、また、施工後にカーテンを必要としていない開口部９に後日改装によりカーテンレール３’を取付けようとする場合、改装時に壁８内に補強部材３１を設ける工事も必要となり、大掛かりな工事となるという問題がある。
【０００４】
また、他の従来例として、図４に示すように建物の壁８の開口部９の上部に取付けられる上額縁部材３０ｂとして、微細な木粉を混入した熱可塑性樹脂の押出し成形品によりカーテンレール部３２を一体に形成した上額縁部材３０ｂが知られている。（例えば、特許文献１参照）
ところが、この特許文献１にあっては、上額縁部材３０ｂにカーテンレール部３２を一体に形成してあるため、特許文献１のものはカーテンが必要な開口部にのみ取付けられる専用の上額縁部材でしかなく、この特許文献１の上額縁部材３０ｂをカーテンが必要でない開口部９に取付けた場合、カーテンが無いにもかかわらずカーテンレール部３２が露出してしまい外観が好ましくなく、したがって、同一種類の上額縁部材３０ｂをカーテンが必要な開口部９とカーテンが必要でない開口部９との両方に兼用して使用することができないという問題がある。また、上記特許文献１にあっては、上額縁部材３０ｂが微細な木粉を混入した熱可塑性樹脂の押出し成形品により形成してあるため、カーテンレール部３２にカーテンを吊下げるとしても重量の重いカーテンを吊下げることができず、重量の軽いカーテン（例えば、レースのカーテン）しか吊下げることができないという問題がある。
【特許文献１】特開平７−３９４４７号公報
【発明の開示】
【発明が解決しようとする課題】
【０００５】
本発明は上記の従来の問題点に鑑みて発明したものであって、壁にカーテンレールを取付けるための特別な補強部材を壁内に設ける必要が無く、また、カーテンレールを取付ける場合も、カーテンレールを取付けない場合も、共通の上額縁部材を使用することができるカーテンレール付き額縁の構造を提供することを課題とするものである。
【課題を解決するための手段】
【０００６】
上記課題を解決するために本発明に係るカーテンレール付き額縁の構造は、金属製の上額縁部材１の室内側の端部に上額縁部材１の全長にわたってカーテンレール取付け部２を設け、上額縁部材１とは別体のカーテンレール３に被取付け部４を設け、上額縁部材１のカーテンレール取付け部２にカーテンレール３の被取付け部４を取付けて成ることを特徴とするものである。
【０００７】
このように上額縁部材１が金属製であるから強度が強いものであり、したがってこの強度の強い上額縁部材１にカーテンレール３を強固に取付けることができ、従来のようにカーテンレール３を取付けるための補強部材を壁８内に設ける必要がないものである。また、上額縁部材１とカーテンレール３とが別体であるので、カーテンが必要な壁８の開口部９においては、上額縁部材１に別体のカーテンレール３を取付けて使用することで、上額縁部材１とカーテンレール３とが一体化した外観とすることができ、また、カーテンが必要でない壁８の開口部９においては、上額縁部材１のみを単独で使用してカーテンレール３を上額縁部材１に取付けないことで、カーテンレール３が無い状態の外観にできるものであり、共通の上額縁部材１をカーテンが必要な壁８の開口部９とカーテンが必要でない壁８の開口部９とに使用できるものである。
【０００８】
また、上額縁部材１の屋内露出面に化粧シート５を取着し、カーテンレール３の被取付け部４の屋内露出面に化粧シート５を取着することが好ましい。
【０００９】
このような構成とすることで、上額縁部材１がカーテンレール３を強固に取付けることができる強度の強い金属製であるにもかかわらず、化粧シート５を取着してあることで、上額縁部材１が金属の外観がそのまま露出することなく化粧仕上げされた外観となり、また、カーテンレール３を取付けた場合も、上額縁部材１へのカーテンレール３の取付け部分も化粧シート５により化粧されて上額縁部材１へのカーテンレール３の取付け部分の外観が良くなるものであり、例えば、化粧シート５を木目調のものとした場合には上額縁部材１が金属製であるにもかかわらず従来と同様の木製のものとしての外観とすることができるものである。
【００１０】
また、上額縁部材１に設けたカーテンレール取付け部２が外面に化粧シート５を取着した目板カバー６を着脱自在に嵌め込んで取付けることができる凹部７により構成してあり、目板カバー６を取付けない状態でカーテンレール３の被取付け部４を凹部７に嵌め込んで取付けることが好ましい。
【００１１】
このような構成とすることで、カーテンレール３を取付けない場合には外面に化粧シート５を取着した目板カバー６を凹部７に嵌め込むことで、凹部７を隠して外観を良くすることができるものであり、また、施工後にカーテンレール３を取付けたい場合には、目板カバー６を外すことで、カーテンレール取付け部２である凹部７にカーテンレール３の被取付け部４を嵌め込んで取付けることで、上額縁部材１にカーテンレール３を外観上一体となるように簡単に取付けることができるものである。
【発明の効果】
【００１２】
本発明は、上額縁部材が金属製であるから強度が強く、上額縁部材にカーテンレールを強固に取付けることができて、従来のようにカーテンレールを取付けるための補強部材を壁内に設ける必要がなく、また、上額縁部材とカーテンレールとが別体なので、カーテンが必要な壁の開口部においては、上額縁部材に別体のカーテンレールを取付けて使用することで、上額縁部材とカーテンレールとが一体化した外観とすることができ、また、カーテンが必要でない壁の開口部においては、上額縁部材のみを単独で使用してカーテンレールを上額縁部材に取付けないことで、カーテンレールが無い状態の外観にできるものであり、共通の上額縁部材をカーテンが必要な壁の開口部とカーテンが必要でない壁の開口部とに使用できるものである。
【発明を実施するための最良の形態】
【００１３】
以下、本発明を添付図面に示す実施形態に基いて説明する。
【００１４】
建物の壁８に形成した開口部９の屋外側に窓枠サッシ１０が取付けられ、開口部９の室内側に額縁１１が取付けられる。額縁１１は矩形状をしていて上額縁部材１と左右両額縁部材（図示せず）と下額縁部材（図示せず）とで構成してある。
【００１５】
上額縁部材１は金属製で、例えばアルミニウムの押出し成形により形成してあり、下方に開口した断面略リップ付きコ字状をした主体部１２の室内側の側面部に室内側に開口した断面略リップ付きコ字状をした室内側張り出し部１３を一体に連設して構成してある。
【００１６】
室内側張り出し部１３の上部は主体部１２よりも上方に突出した上方突出部１４となっている。また、室内側張り出し部１３にはカーテンレール取付け部２が設けてあり、添付図面に示す実施形態では室内側張り出し部１３の側方（室内側）に開口した凹部７がカーテンレール取付け部２となっている。
【００１７】
カーテンレール３の主体を構成するカーテンレール本体３ａは上記上額縁部材１とは別体の金属製で、例えばアルミニウムの押出し成形により形成してある。カーテンレール本体３ａには被取付け部４が一体に形成してある。このカーテンレール本体３ａは図１に示す実施形態では横片１５の壁８側の端部に下向き片４ａを一体に垂設して、この下向き片４ａに被取付け部４を一体に形成して構成してあり、横片１５に図示を省略しているが、カーテンを走行させるためのレール部を備えたボックス部を取付けるようになっている。もちろん、横片１５にレール部を一体に形成したものであってもよく、あるいは、横片１５にレール部をねじ等により取付けたものであってもよく、その形態は特に限定されるものではない。
【００１８】
カーテンレール３に設けた被取付け部４は少なくとも上下に屋外側方向に向けて突出する背方突片１６を突設したものである。この背方突片１６の背方への突出長さは上記カーテンレール取付け部２を構成する側方に開口した凹部７の溝深さと同じ長さとなっている。
【００１９】
上額縁部材１は図１に示すように建物の壁８に形成した開口部９の室内側の上面部に主体部１２の上面を当接すると共に室内側張り出し部１３の上方突出部１４の屋外側の側面を壁８の室内側の面に当接した状態で、断面略リップ付きコ字状をした主体部１２の下開口からビスのような固着具１７を挿入して壁８の開口部９の上面に位置する上框１８に固着する。上額縁部材１を上框１８に固着した後、断面略リップ付きコ字状をした主体部１２の下開口には図１のように下カバー２０を嵌め込んで上記下開口を閉じるものである。下カバー２０は金属製又は合成樹脂製の断面コ字状をしていて両側片に係止部２１が設けてあり、係止部２１が主体部１２の下開口の両開口縁に係止されるものである。ここで、下カバー２０を取付けた状態で下カバー２０の下面が主体部１２の下面と面一となっていて下カバー２０と主体部１２とが一体に連続するような外観となる。
【００２０】
カーテンレール３を取付けるに当たっては、カーテンレール３に設けた被取付け部４を上額縁部材１のカーテンレール取付け部２である凹部７に嵌め込み、被取付け部４の上下の背方突片１６を側方に開口した凹部７の底、つまり、主体部１２の室内側の側面に当接し、この状態で被取付け部４を金属製の上額縁部材１にビスのような固着具１９により固着するものである。このように、上額縁部材１を金属製とすることで、別体のカーテンレール３を上額縁部材１にビスのような固着具１９により固着しても強固に取付けることができる。
【００２１】
上記のように上額縁部材１のカーテンレール取付け部２を構成する凹部７にカーテンレール３の被取付け部４を嵌め込んで取付けた状態で、カーテンレール３の被取付け部４の室内側の面と室内側張り出し部１３の室内側の面とが図１に示すように面一となって、室内側張り出し部１３と被取付け部４とが一体に連続するような外観となる。
【００２２】
金属製の上額縁部材１の屋内露出面にはあらかじめ化粧シート５が取着してある。また、金属製のカーテンレール３の被取付け部４の屋内露出面にも上記化粧シート５と同じ模様をした化粧シート５をあらかじめ取着してある。更に、下カバー２０の下面にも上記化粧シート５と同じ模様をした化粧シート５があらかじめ取着してある。したがって、図１に示すように、上額縁部材１のカーテンレール取付け部２や主体部１２の下開口に取付けられるカーテンレール３の被取付け部４や下カバー２０を含めて上額縁部材１の室内側に露出する部分には金属が露出せず、外観が化粧シート５で表現される単一の化粧のための額縁材があるような外観となる。特に、ここで各化粧シート５が木目調の模様である場合には従来と同様の木製の上額縁部材が存在するような外観となる。もちろん、化粧シート５の模様としては木目模様のみに限定されず、他の種々の模様を採用することができるものである。
【００２３】
上記のようにして建物の壁８に形成した開口部９にカーテンが必要な場合には、開口部９の屋内側に取付けた金属製の上額縁部材１にカーテンレール３を取付けるのであるが、建物の壁８に形成した開口部９にカーテンが必要でない場合には、図２のように開口部９の屋内側に取付けた金属製の上額縁部材１にカーテンレール３に代えてカーテンレール取付け部２を構成する凹部７に目板カバー６を着脱自在に取付けるものである。目板カバー６は金属又は合成樹脂製で、断面コ字状をしていて表面（室内側に露出する面）に上記化粧シート５と同じ模様をした化粧シート５をあらかじめ取着してあり、更に両側片に係合部２２を形成してあり、この係合部２２が凹部７の側方開口の両縁部に着脱自在に係止してある。このように、目地カバー６を取付けることで、カーテンレール取付け部２を構成する凹部７の側方開口を閉じると共に目地カバー６の室内側の面と室内側張り出し部１３の室内側の面とが図２に示すように面一となって、室内側張り出し部１３と被取付け部４とが一体に連続するような外観となる。これにより、建物の壁８に形成した開口部９にカーテンが必要でない場合には、同じ上額縁部材１を用いて開口部９の室内側の上端部にカーテンレール３が無い状態の単一の部材で構成したような上額縁部材が存在するような外観とすることができる。
【００２４】
また、図２のように開口部９に取付けた上額縁部材１にカーテンレール３を取付けない状態、つまりカーテンを必要としない場合であっても、その後、カーテンを必要とするような改装をするに当たっては、上額縁部材１から目地カバー６を外し、上額縁部材１のカーテンレール取付け部２を構成する凹部７にカーテンレール３の被取付け部４を前述と同様にして嵌め込んで図１のように固着具１９で容易にカーテンレール３を取付ける改装工事ができるものであり、この場合、壁８内部に補強部材を取付ける必要がないので、開口工事がよりいっそう容易に行えるものである。
【００２５】
このように、本発明においては上額縁部材１とカーテンレール３と、目地カバー６とをセットとして用意してカーテンレール付き額縁を構成することで、カーテンレール３が必要な場合と必要でない場合の使い分けができ、また、後日の改装によりカーテンレール３が必要となったり、カーテンレール３が必要でなくなった場合に容易に対応できるものである。
【図面の簡単な説明】
【００２６】
【図１】本発明において上額縁部材にカーテンレールを取付けた状態の断面図である。
【図２】同上の上額縁部材にカーテンレールを取付けることなくカーテンレール取付け部に目地カバーを取付けた状態の断面図である。
【図３】従来例の断面図である。
【図４】他の従来例の断面図である。
【符号の説明】
【００２７】
１  上額縁部材
２  カーテンレール取付け部
３  カーテンレール
４  被取付け部
５  化粧シート
６  目板カバー
７  凹部
【図１】
2005102962.tif 000003
【図２】
2005102962.tif 000004
【図３】
2005102962.tif 000005
【図４】
2005102962.tif 000006